【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
第１波長λ１のポンプ光を、第２波長λ２で発光するレーザに供給する装置において：
光を第１軸に沿って第１方向に誘導するように励起できる、前記第１波長λ１の第１レーザと、
光を前記第１軸に平行な第２軸に沿って誘導するように励起できる、前記第１波長λ１の第２レーザであって、前記第１及び第２軸により第１平面Ｐ１が定義される、前記第２レーザと、
前記第１波長λ１の合成光ビームを形成するように配置されるフィルタ装置と、
を備え、
前記フィルタ装置は、前記誘導光の光路に配置される透明体の上に形成され、そして：
（ｉ）前記フィルタ装置の第１表面に形成される第１フィルタであって、該第１フィルタが、前記第１及び第２軸に対して傾斜角で配置され、かつλ１を透過し、そしてλ２を反射する、前記第１フィルタと、
（ｉｉ）前記フィルタ装置の第２表面に形成される第２フィルタであって、前記第２表面が、前記第１表面に平行であり、前記第２フィルタがλ１を反射し、そしてλ２を透過する、前記第２フィルタと、
（ｉｉｉ）前記フィルタ装置の前記第１表面に形成され、かつ前記第１フィルタと同一平面に在り、そしてλ１を反射し、そしてλ２を透過する第３フィルタと、
を有し、
前記フィルタ装置は、前記第１及び第２軸を、Ｐ１と直交し、かつ前記第１方向に平行である第２平面Ｐ２に沿うように再調整する、
装置。
【請求項２】
更に、前記フィルタ装置の前記第２表面に形成され、かつλ１を透過し、そしてλ２を反射する第４フィルタを備える、請求項１に記載の装置。
【請求項３】
前記フィルタ装置の前記第１及び第２表面は略平行である、請求項１または２に記載の装置。
【請求項４】
前記フィルタ装置は更に、前記第１平面Ｐ１に平行である傾斜調整軸を有し、そして前記傾斜調整軸の回りの回転により、再調整された前記第１軸と前記第２軸との間の前記第２平面Ｐ２内の距離を調整する、請求項１から３いずれか１項に記載の装置。
【請求項５】
更に、光を前記第１軸に平行な第３軸に沿って誘導するように励起できる、前記第１波長λ１の第３レーザをさらに備え、そして前記第２フィルタは更に、前記第１及び第２レーザからの光を反射して、屈折して方向変更した前記第３軸上の光に一致させる、請求項１から４いずれか１項に記載の装置。
【請求項６】
第１波長λ１のポンプ光を、第２波長λ２で発光するレーザに供給する装置において：
光を第１軸に沿って第１方向に誘導するように励起できる、前記第１波長λ１の第１レーザと、
光を前記第１軸に平行な第２軸に沿って誘導するように励起できる、前記第１波長λ１の第２レーザであって、前記第１及び第２軸により第１平面Ｐ１が定義される、前記第２レーザと、
前記第１波長λ１の合成光ビームを形成するように配置されるフィルタ装置と、
を備え、
前記フィルタ装置は、前記誘導光の光路に配置される透明体の上に形成され、そして：
（ｉ）前記フィルタ装置の第１表面に形成される第１短波長透過フィルタであって、該第１短波長透過フィルタが、前記第１及び第２軸に対して傾斜角で配置され、かつλ１を透過し、そしてλ２を反射する、前記第１短波長透過フィルタと、
（ｉｉ）前記フィルタ装置の第２表面に形成される第１長波長透過フィルタであって、前記第２表面が、前記第１表面に平行であり、前記第１長波長透過フィルタがλ１を反射し、そしてλ２を透過する、前記第１長波長透過フィルタと、
（ｉｉｉ）前記フィルタ装置の前記第１表面に形成され、かつλ１を反射し、そしてλ２を透過する第２長波長透過フィルタと、
を有し、
前記フィルタ装置は、前記第１及び第２軸を、Ｐ１と直交し、かつ前記第１方向に平行である第２平面Ｐ２に沿うように再調整する、
装置。
【請求項７】
第１波長λ１のポンプ光を、第２波長λ２で発光するレーザに供給する装置において：
光を第１軸に沿って第１方向に誘導するように励起できる、前記第１波長λ１の第１レーザと、
光を前記第１軸に平行な第２軸に沿って誘導するように励起できる、前記第１波長λ１の第２レーザであって、前記第１及び第２軸により第１平面Ｐ１が定義される、前記第２レーザと、
前記第１波長λ１の合成光ビームを形成するように配置されるフィルタ装置と、
を備え、
前記フィルタ装置は、前記誘導光の光路に配置される透明体の上に形成され、そして：
（ｉ）前記フィルタ装置の第１表面に形成される第１フィルタＦ１であって、該第１フィルタＦ１が、前記第１及び第２軸に対して傾斜角で配置され、かつλ１を透過し、そしてλ２を反射する、前記第１フィルタＦ１と、
（ｉｉ）前記フィルタ装置の第２表面に形成される第２フィルタＦ２であって、前記第２表面が、前記第１表面に平行であり、Ｆ２がλ１を反射し、そしてλ２を透過する、前記第２フィルタＦ２と、
（ｉｉｉ）Ｆ１と同一平面に在り、かつλ１を反射し、そしてλ２を透過する第３フィルタと、
（ｉｖ）λ１を透過し、そしてλ２を反射する第４フィルタと、
を有し、
前記合成光ビームで前記第１及び第２軸を、Ｐ１と直交し、かつ前記第１方向に平行である第２平面Ｐ２に沿うように再調整する、
装置。
【請求項８】
前記フィルタ装置は更に、前記第１平面Ｐ１に平行である傾斜調整軸を有し、そして前記傾斜調整軸の回りの回転により、再調整された前記第１軸と前記第２軸との間の前記第２平面Ｐ２内の距離を調整する、請求項７に記載の装置。
【請求項９】
複数のレーザ光源からの第１波長λ１のポンプ光を光ファイバに結合させる装置において、該装置は：
光を第１軸に沿って第１方向に誘導するように励起できる、前記第１波長λ１の第１レーザと、
光を前記第１軸に平行な第２軸に沿って誘導するように励起できる、前記第１波長λ１の第２レーザであって、前記第１及び第２軸により第１平面Ｐ１が定義される、前記第２レーザと、
前記第１波長λ１の合成光ビームを形成するように配置されるフィルタ装置であって、前記フィルタ装置が、前記誘導光の光路に配置される透明体の上に形成され、そして：
（ｉ）前記フィルタ装置の第１表面に形成される第１フィルタＦ１であって、該第１フィルタＦ１が、前記第１及び第２軸に対して傾斜角で配置され、かつλ１を透過し、そしてλ２を反射する、前記第１フィルタＦ１、
（ｉｉ）前記フィルタ装置の第２表面に形成される第２フィルタＦ２であって、前記第２表面が、前記第１表面に平行であり、Ｆ２がλ１を反射し、そしてλ２を透過する、前記第２フィルタＦ２、
（ｉｉｉ）Ｆ１と同一平面に在り、かつλ１を反射し、そしてλ２を透過する第３フィルタ、
（ｉｖ）λ１を透過し、そしてλ２を反射する第４フィルタであって、前記フィルタ装置が、前記第１及び第２軸を、Ｐ１と直交し、かつ前記第１方向に平行である第２平面Ｐ２に沿うように再調整する、前記第４フィルタ、および
（ｖ）前記第１平面Ｐ１に平行であり、かつ調整され、反射され、方向変更した前記第１軸と方向変更した前記第２軸との間の前記第２平面Ｐ２内の距離を調整するために回転することができる傾斜調整軸、
を有する、前記フィルタ装置と、
前記第１及び第２表面のうちの１つ以上の表面の少なくとも一部と並んで配置されて、前記第２波長λ２の光を吸収する１つ以上の吸光体と、
前記合成光ビームを光ファイバに誘導するように配置されるコンバイナレンズと、
を備える、装置。
【請求項１０】
前記第１及び第２軸は互いから等距離で第１距離だけ離れており、そして再調整されたこれらの軸は、互いから等距離で前記第１距離よりも短い第２距離だけ離れている、請求項９に記載の装置。